(57)【要約】【課題】  既存の建具枠を用いて必要とする有効開口面積の開口部を有する浴室建具とすることができる浴室建具とする。【解決手段】  建具枠１を構成する左右の縦枠１２の内面１２ａ間に、面外方向両側面に開口した開口部５を有する枠材２０に取付用ブロック２１を連結した横枠材２を取付けて建具取付用枠部３を形成し、この建具取付用枠部３に建具４を開閉自在に取付け、前記枠材２０の内面部を上枠１０の内面部と同一形状とした浴室建具で、横枠材２の開口部５によって必要とする有効開口面積の開口部を有する浴室建具とすることができる。【選択図】  図１
2005188115.tif 000002
【特許請求の範囲】
【請求項１】
上枠、下枠および左右の縦枠で構成された建具枠と、その建具枠の上部寄りに取付けた横枠材で建具取付用枠部を形成し、この建具取付用枠部に建具を開閉自在に取付けた浴室建具であって、
前記横枠材は、浴室側と脱衣室側とに開口した開口部を有する枠材と、この枠材の長手方向両端部にそれぞれ取付けた左右の取付用ブロックを有し、前記左右の取付用ブロックを、建具枠の左右の縦枠の内面間に取付け、前記枠材を建具枠の上枠内面に接して建具取付用枠部とし、
前記枠材の内面部を、建具枠を構成する上枠の内面部と同一形状としたことを特徴とする浴室建具。
【請求項２】
第１枠材と第２枠材を左右の取付用ブロックで、上下方向に離間して連結して開口部を有する横枠材とした請求項１記載の浴室建具。
【請求項３】
上枠、下枠および左右の縦枠で構成された建具枠と、この建具枠の上部寄りに取付けた横枠材で建具取付用枠部を形成し、この建具取付用枠部に建具を開閉自在に取付けた浴室建具であって、
前記横枠材は、浴室側と脱衣室側とに開口した開口部を有するとともに、その内面部が建具枠を構成する上枠の内面部と同一形状の枠材とした浴室建具。
【請求項４】
建具枠の上部寄りに、第１枠材と第２枠材を上下方向に離間して取付けて開口部を有する枠材とした請求項３記載の浴室建具。
【発明の詳細な説明】
【技術分野】
【０００１】
本発明は、折れ戸、引き戸、開き戸などの浴室の出入口に用いる浴室建具に関する。
【背景技術】
【０００２】
特許文献１に開示された浴室ドアは、ドア枠の上部に空気取入口を設けたもので、浴室内に設置した換気装置を稼動することで、浴室外の空気が空気取入口を通して浴室内に流入するから浴室内を効率良く換気できる。
【０００３】
【特許文献１】特開平５−１６４３７２号公報
【発明の開示】
【発明が解決しようとする課題】
【０００４】
シックハウス対策のための今回の建築基準法の改正により、住宅の居室には換気回数０．５回／ｈ以上の換気量を持つ換気設備を設置することが義務づけられた。
この建築基準法の改訂に伴い、住宅に給気ファンと排気ファンを設置し、そのうち浴室の換気扇を排気ファンとして利用する場合（つまり、浴室を換気経路として換気計画に組み込んだ場合）その浴室の出入口に用いる浴室建具には有効開口面積で１００〜１５０ｃｍ２の開口部を有することが望ましいと言われている。
しかし、前述した従来の浴室建具においては、建具枠の上部に形成した空気取入口の開口面積が、浴室建具としての有効開口面積が前述の１００〜１５０ｃｍ２を満足する値よりも大幅に小さい。
このために、有効開口面積が１００〜１５０ｃｍ２と大きい開口部を有する浴室建具とするには、その有効開口面積１００〜１５０ｃｍ２を満足できる大きな開口面積の空気取入口を有する新規の建具枠を製作準備しなければならない。
【０００５】
前述のように、新規の建具枠を製作するには、アルミ押出形材を用いる場合は押出用金型を製作する必要があり、製作コストが高くなる。
また、既設の建具枠を外し、有効開口面積１００〜１５０ｃｍ２を満足する開口部を有する建具枠に取り替えることは、建具枠以外の造作工事等にも影響を及ぼすためコストが高くなる。
【０００６】
本発明は、前述の課題に鑑みなされたものであり、その目的は、既存の建具枠を用いて必要とする有効開口面積の開口部を有する浴室建具とすることができるし、既設の浴室建具を必要とする有効開口面積の開口部を有する浴室建具に改装でき、しかも建具取付用枠部に建具を簡単に取付けできるようにした浴室建具を提供することである。
【課題を解決するための手段】
【０００７】
第１の発明は、上枠、下枠および左右の縦枠で構成された建具枠と、その建具枠の上部寄りに取付けた横枠材で建具取付用枠部を形成し、この建具取付用枠部に建具を開閉自在に取付けた浴室建具であって、
前記横枠材は、浴室側と脱衣室側とに開口した開口部を有する枠材と、この枠材の長手方向両端部にそれぞれ取付けた左右の取付用ブロックを有し、前記左右の取付用ブロックを、建具枠の左右の縦枠の内面間に取付け、前記枠材を建具枠の上枠内面に接して建具取付用枠部とし、
前記枠材の内面部を、建具枠を構成する上枠の内面部と同一形状としたことを特徴とする浴室建具である。
【０００８】
第２の発明は、第１の発明において第１枠材と第２枠材を左右の取付用ブロックで、上下方向に離間して連結して開口部を有する横枠材とした浴室建具である。
【０００９】
第３の発明は、上枠、下枠および左右の縦枠で構成された建具枠と、この建具枠の上部寄りに取付けた横枠材で建具取付用枠部を形成し、この建具取付用枠部に建具を開閉自在に取付けた浴室建具であって、
前記横枠材は、浴室側と脱衣室側とに開口した開口部を有するとともに、その内面部が建具枠を構成する上枠の内面部と同一形状の枠材とした浴室建具である。
【００１０】
第４の発明は、第３の発明において建具枠の上部寄りに、第１枠材と第２枠材を上下方向に離間して取付けて開口部を有する枠材とした浴室建具である。
【発明の効果】
【００１１】
請求項１に係る発明及び請求項３に係る発明によれば、横枠材の開口部によって浴室建具の有効開口面積を必要とする値とすることができるので、既存の建具枠を用いて必要とする有効開口面積の開口部を有する浴室建具とすることができる。
また、既設の浴室建具から建具を取り外して残存した建具枠に横枠部材を取付けて浴室建具とすることができるので、既設の浴室建具を必要とする有効開口面積の開口部を有する浴室建具にコスト安く改装することができる。
また、建具取付用枠部に建具を簡単に取付けできる。
【発明を実施するための最良の形態】
【００１２】
図１に示すように、建具枠１と、この建具枠１の上部寄りに取付けた横枠材２で建具取付用枠部３とし、この建具取付用枠部３に建具４を開閉自在に取付けて浴室建具としてある。
前記横枠材２は換気用の開口部５を有し、この開口部５は浴室側と脱衣室側とに開口している。つまり、建具４を閉じた状態とした時に、その建具４を境として脱衣室外面と浴室側面に開口して浴室内と浴室外とに亘って空気が流通するようにしてある。
【００１３】
このようであるから、既存の建具枠１に横枠材２を取付け、その横枠材２の開口部５の開口面積を、浴室建具として必要とする有効開口面積を満足する値とし、建具４の上下寸法を横枠材２の上下寸法だけ小さくすることで、既存の建具枠を用いて必要とする有効開口面積の開口部を有する浴室建具を製作できる。
また、既設の浴室建具から建具４を取り外し、残存した既設の建具枠１に横枠材２を取付け、既設の建具４よりも横枠材２の上下寸法だけ上下寸法の小さな建具４を取付けることで、既設の浴室建具を必要とする有効開口面積の開口部を有する浴室建具に改装できる。
【００１４】
前述の説明において、浴室建具の開口部は、横枠材２の開口部５のみとしても良いが、後述するように建具４の下框、中棧にも開口部を形成する場合も有り、浴室建具の必要とする有効開口面積は横枠材２の開口部５のみの開口面積でも良いし、その開口面積に下框、中棧の開口部の開口面積をプラスした値であっても良い。
【００１５】
次に、各部材の具体形状の一例を説明する。
前記建具枠１は上枠１０と下枠１１と左右の縦枠１２を方形枠形状に連結してある。
前記上枠１０は、図２に示すように、その内面１０ａに建具ガイド部、例えば上レール１３、内向片１４を有し、その内向片１４は面外方向一側寄り（脱衣室側寄り）に位置し、かつ水密材装着部１４ａを有する。
前記下枠１１は、図２に示すように、その内面１１ａに建具ガイド部、例えば下レール１５と内向片１６を有し、その内向片１６は面外方向一側寄り（脱衣室側寄り）に位置し、かつ水密材装着部１６ａを有する。
前記縦枠１２は、図３に示すように、その内面１２ａに内向片１７を有し、その内向片１７は面外方向一側寄り（脱衣室側寄り）に位置し、かつ水密材装着部１７ａを有する。
【００１６】
前記左右の縦枠１２の内向片１７における上下寄り部分をそれぞれ切断して除去し、その左右の縦枠１２の内面１２ａに上枠１０、下枠１１の長手方向両端面を突き当てビスによって連結している。
そして、左右の縦枠１２の内向片１７と上枠１０の内向片１４、下枠１１の内向片１６が４周連続する。
上枠１０、下枠１１、縦枠１２の連結は、前述のことに限ることはなく、従来から実施されている種々の連結の仕方で連結しても良い。
【００１７】
前記横枠材２は、図１、図４に示すように、開口部５を有する枠材２０の長手方向両端部に取付用ブロック２１をそれぞれ設けた形態で、その各取付用ブロック２１の左右端面、つまり外側面を左右の縦枠１２の内面１２ａに接すると共に、枠材２０の上面を上枠１０の内面１０ａに接し、かつ内向片１４，１７からビス２２を取付用ブロック２１に螺合して固着してある。
つまり、取付用ブロック２１は縦枠１２の内面部分に対応した形状である。
【００１８】
前記枠材２０の内面部分は、上枠１０の内面部分と同一形状である。例えば、枠材２０の内面２０ａに建具ガイド部（上レール２３）と内向片２４を有し、その内向片２４は面外方向一側寄りに位置し、かつ水密材装着部２４ａを有する。
また、前記取付用ブロック２１の内面にも建具ガイド部（上レール２３）が設けられ、横枠材２の内面には建具ガイド部（上レール２３）が長手方向に連続して有する。
このようであるから、建具取付用枠部３に建具４を、その建具４を建具枠１に取付ける場合と同様にして取付けできる。
【００１９】
前記横枠材２を前述のように枠材２０と取付用ブロック２１で構成することで、枠材２０の開口部５の長手方向両端部を取付用ブロック２１で閉塞することができる。
また、枠材２０を所定の断面形状のアルミ押出形材を用いて、横枠材２を左右の縦枠１２の内面１２ａ間にしっかりと見栄え良く簡単に取付けできる。
例えば、建具枠１の浴室側から横枠材２を、左右の縦枠１２間に、その各取付用ブロック２１が縦枠１２の内面１２ａに接するようにして押し込んで内向片１７に当接して面外方向の位置決めとし、横枠材２を上に移動して枠材２０を上枠１０の内面１０ａに押しつける。この状態で内向片１４，１７に形成した穴からビス２２を取付用ブロック２１に螺合して取付ける。
前述の取付用ブロック２１は樹脂による射出成形品であるが、鋳物品やダイキャスト品等でも良い。
【００２０】
前記枠材２０もしくは横枠材２の開口部５は、浴室側から脱衣室に向けて湯水が流れ難い形状とすることが好ましい。
【００２１】
前記枠材２０は、図２に示すように第１枠材２５と第２枠材２６を備え、この第１枠材２５、第２枠材２６の長手方向両端部に取付用ブロック２１を取付けることで第１枠材２５と第２枠材２６を上下方向に離間して連結し、その第１枠材２５と第２枠材２６との間に前述の開口部５を形成している。
このようであるから、枠材を穴明け加工、スリット溝加工等の加工をすることなしに開口部５を有する枠材２０とすることができる。
【００２２】
前記開口部５は浴室側部分が低く、脱衣室側部分が高い階段形状で、浴室内の湯水が開口部５を通って脱衣室に流れ難くしてある。
具体的には、図５に示すように、第１枠材２５は、中空部２５ａと、一側垂下板２５ｂを有し、その一側垂下板２５ｂの下部寄りに横向片２５ｃを他側に向けて設けた断面形状で、その中空部２５ａの上面には上枠１０の上レール１３が臨む上向き凹部２７を有する。
前記第２枠材２６は、中空部２６ａと、他側立上り板２６ｂを有し、その他側立上り板２６ｂの上端に横向片２６ｃが一側に向けて設け、その中空部２６ａの下面に前述の上レール２３と内向片２４を設けた断面形状である。つまり、第２枠材２６の下面が前述した枠材２０の内面２０ａである。
【００２３】
前記取付用ブロック２１は、図５に示すように縦板３０の内側面３０ａに第１突起３１と第２突起３２を上下に離隔して一体的に設けた形態で、その第１突起３１が第１枠材２５の中空部２５ａに嵌合して第１枠材２５の長手方向端面が縦板３０の内側面３０ａに接し、第２突起３２が第２枠材２６の中空部２６ａに嵌合して第２枠材２６の長手方向端面が縦板３０の内側面３０ａに接する。前記縦板３０の内面に前述の建具ガイド（上レール２３）が設けてある。
【００２４】
このようであるから、左右の取付用ブロック２１の第１・第２突起３１，３２に第１・第２枠材２５，２６の中空部２５ａ，２６ａをそれぞれ嵌合することで横枠材２を構成でき、その作業が容易である。
そして、前記縦板３０の外側面３０ｂが縦枠１２の内面１２ａに接し、その縦板３０の脱衣室の側面３０ｃにビス穴３３を形成し、このビス穴３３に前述のように内向片１４，１７の穴１４ｂ，１７ｂからビス２２を螺合して取付ける。
【００２５】
前述の実施の形態では、枠材２０を第１・第２枠材２５，２６で構成したが、一体の枠材２０とすることもできる。
例えば、図６に示すように、断面形状がほぼ矩形の中空形状で、上面に前述の上向凹部２７、下面（内面）に前述の上レール２３と内向片２４を有する枠材２０とし、その一側面２０ｂと他側面２０ｃに通気穴２８をそれぞれ形成して開口部５とする。
前記他側面２０ｃの通気穴２８に止水弁２９を設け、一側（脱衣室側）から他側（浴室側）には空気が流通するが、他側から一側に向けては空気が流通しないようにして、開口部５が浴室側から湯水が脱衣室側に流れ難いようにしてある。
【００２６】
この場合の取付用ブロック２１は、枠材２０の長手方向端面が接する縦板３０の内側面３０ａに、枠材２０の中空部に嵌合する突起３４を設けたものとする。
【００２７】
また、図７に示すように枠材２０の中空部内に立上り片２０ｄを設けて一側面２０ｂの通気穴２８と他側面２０ｃの通気穴２８とに流通する空気が立上り片２０ｄに衝突するようにし、その開口部５が浴室側から湯水が脱衣室側に流れ難いようにしてある。
【００２８】
前記建具４は上框４０と下框４１と戸先框４２と召合せ框４３と中棧４４を備え、一方の建具４の戸先框４２を上下枠１０，１１に回動自在に支承し、召合せ框４３相互を折り曲げ自在に連結し、他方の建具４の戸先框４２を上下枠１０，１１に沿って長手方向に摺動自在に支承してある。これによって、折れ戸を構成している。
図２に示すように、下框４１には換気用開口部４１ａを有するが、この換気用開口部４１ａだけで前述した換気経路を満足する有効開口面積を確保しようとする場合、換気用開口部４１ａを面内方向に広く（大きく）するか、換気用開口部４１ａを面内方向上側にいくつか（何段か）積み重ねることが必要であり、浴室側から湯水が脱衣室側に流れる恐れもある。また、意匠性も悪い。
このために、前述したように開口部５を有する横枠材２を取付けて有効開口面積を確保している。
なお、折れ戸に限ることはなく開き戸、引き戸などでも良いことは勿論である。
【００２９】
前述の実施の形態では、枠材２０と左右の取付用ブロック２１で横枠材２としたが、枠材２０のみで横枠材２としても良い。
例えば、図８、図９、図１０に示すように、建具枠１の上部寄りに枠材２０を取付けて建具取付用枠部３とする。
前記枠材２０は、前述の図６に示す枠材２０と同様で、内面２０ａにおける他側面（浴室側面）寄りに通気穴２８が形成されていることが相違する。
【００３０】
そして、枠材２０の一側面２０ｂは、その上部が浴室側寄りで下部が脱衣室側寄りとなるようにクランク形状で、その一側面２０ｂの上部に上枠１０の内向片１４が接し、その一側面２０ｂの下部と上枠１０の内向片１４の脱衣室側面が面一となるようにしてある。
前記枠材２０の長手方向両端面は左右の縦枠１２の内面１２ａに接して連結されるので、その枠材２０の一側面２０ｂの下部と内向片２４における長手方向両端部分が縦枠１２の内向片１７と干渉するから、その干渉する部分を内向片の突出長さ分だけ切断して除去し、その切断端面２０ｄが縦枠１２の内向片１７に接するようにしてある。
そして、上枠１０の内向片１４の穴１４ｂからビス２２を枠材２０の一側面２０ｂの上部に螺合して枠材２０を連結している。
【００３１】
前記枠材２０は、前述の第１枠材２５と第２枠材２６を上下方向に離間して左右の縦枠に間に亘って取付け、その第１枠材２５と第２枠材２６との間に開口部５を有するものとしても良い。
【００３２】
前述の実施の形態では上枠１０の建具ガイド部を上レールとしたが、吊戸車を吊り下げ支持するガイド溝などでも良い。
【図面の簡単な説明】
【００３３】
【図１】本発明の実施の形態を示す浴室建具の浴室側姿図である。
【図２】図１のＡ−Ａ断面図である。
【図３】図１のＢ−Ｂ断面図である。
【図４】図１のＣ−Ｃ拡大断面図である。
【図５】枠材と取付用ブロックの分解斜視図である。
【図６】横枠材の第２の実施の形態を示す断面図である。
【図７】横枠材の第３の実施の形態を示す断面図である。
【図８】本発明の第２の実施の形態を示す浴室建具の浴室側姿図である。
【図９】図８のＤ−Ｄ拡大断面図である。
【図１０】上枠と縦枠と枠材の分解斜視図である。
【符号の説明】
【００３４】
１…建具枠、２…横枠材、３…建具取付用枠部、４…建具、５…開口部、１０…上枠、１０ａ…内面、１１…下枠、１２…縦枠、１２ａ…内面、２０…枠材、２１…取付用ブロック、２２…ビス、２５…第１枠材、２６…第２枠材。
【図１】
2005188115.tif 000003
【図２】
2005188115.tif 000004
【図３】
2005188115.tif 000005
【図４】
2005188115.tif 000006
【図５】
2005188115.tif 000007
【図６】
2005188115.tif 000008
【図７】
2005188115.tif 000009
【図８】
2005188115.tif 000010
【図９】
2005188115.tif 000011
【図１０】
2005188115.tif 000012